(57)【要約】【課題】リモコン装置の大型化を伴うことなく多くの操作を正確に実行させることができるようにする。【解決手段】同一の操作ボタン１２，１２，１２・・・の操作によって出力されるリモコン制御信号をリモコン装置１０に与える振動によって変更する。従って、操作ボタン１２，１２，１２・・・の形成個数を多くしなくても多機能のリモコン装置１０を提供することができる。また、振動検知の回数と各タイミングで特定できる振動リズムで切替の可否を判定する。従って、偶然振動を与えてしまった場合に、意図せずモードが切り替わってしまうようなこともない。【選択図】図１
2008066775.tif 000002
【特許請求の範囲】
【請求項１】
筐体と、上記筐体に備えられた操作ボタンと、上記操作ボタンの操作に対応したリモコン制御信号を生成する信号生成手段と、生成したリモコン制御信号を制御対象の被制御機器に対して送信する送信手段とを具備するリモコン装置において、
筐体内部に備えられた振動検知センサと、
所定の登録操作に基づき上記振動検知センサにおける複数回の振動検知とそれらの検出タイミングとから特定される振動リズムを記憶するとともに、記憶された上記振動リズムと新たに上記振動検知センサが検出した上記振動リズムとが類似する場合に上記信号生成手段が上記操作ボタンの操作に対応して生成する上記リモコン制御信号を変更する信号シフト手段と、
上記信号シフト手段によって上記信号生成手段が上記操作ボタンの操作に対応して生成する上記リモコン制御信号が変更されたか否かによって上記操作ボタンの色を変更する表示手段と、
上記振動検知センサにおける振動検知に対応した上記リモコン制御信号を生成する第２の信号生成手段とを具備することを特徴とするリモコン装置。
【請求項２】
筐体と、上記筐体に備えられた操作ボタンと、上記操作ボタンの操作に対応したリモコン制御信号を生成する信号生成手段と、生成したリモコン制御信号を制御対象の被制御機器に対して送信する送信手段とを具備するリモコン装置において、
振動検知センサと、
上記振動検知センサにおける振動検知に応じて、上記信号生成手段が上記操作ボタンの操作に対応して生成する上記リモコン制御信号を変更する信号シフト手段とを具備することを特徴とするリモコン装置。
【請求項３】
上記信号シフト手段によって上記信号生成手段が上記操作ボタンの操作に対応して生成する上記リモコン制御信号が変更されたか否かを示す表示手段を具備することを特徴とする請求項２に記載のリモコン装置。
【請求項４】
上記表示手段は、上記信号シフト手段によって上記信号生成手段が上記操作ボタンの操作に対応して生成する上記リモコン制御信号が変更されたか否かによって上記操作ボタンの色を変更することを特徴とする請求項３に記載のリモコン装置。
【請求項５】
上記信号シフト手段は、上記振動検知センサにおける複数回の振動検知とそれらの検出タイミングとから特定される振動リズムに応じて、上記信号生成手段が上記操作ボタンの操作に対応して生成する上記リモコン制御信号を変更することを特徴とする請求項２から請求項４のいずれかに記載のリモコン装置。
【請求項６】
所定の登録操作に基づき上記振動検知センサによって検出した上記振動リズムを記憶するとともに、記憶された上記振動リズムと新たに上記振動検知センサが検出した上記振動リズムとが類似する場合に上記信号生成手段が上記操作ボタンの操作に対応して生成する上記リモコン制御信号を変更することを特徴とする請求項５に記載のリモコン装置。
【請求項７】
上記振動検知センサにおける振動検知に対応した上記リモコン制御信号を生成する第２の信号生成手段を具備することを特徴とする請求項２から請求項６のいずれかに記載のリモコン装置。
【請求項８】
上記第２の信号生成手段は、上記被制御機器にて実行されるゲームの操作をするための上記リモコン制御信号を生成することを特徴とする請求項７に記載のリモコン装置。
【請求項９】
上記第２の信号生成手段は、上記被制御機器に音を出力させるための上記リモコン制御信号を生成することを特徴とする請求項７に記載のリモコン装置。
【請求項１０】
制御対象の被制御機器と、当該被制御機器に対して複数のリモコン制御信号を送信するリモコン装置とからなるリモコン制御システムにおいて、
上記リモコン装置は、
筐体と、
上記筐体に備えられた操作ボタンと、
上記操作ボタンの操作に対応したリモコン制御信号を生成する信号生成手段と、
筐体内部に備えられた振動検知センサと、
上記振動検知センサにおける振動検知に応じてシフトを指示するためのリモコン制御信号を生成するシフト信号生成手段と、
上記被制御機器は、
上記リモコン制御信号を受信し、当該リモコン制御信号に対応する機能を実行する機能実行手段と、
上記シフトを指示するためのリモコン制御信号を受信したとき、各リモコン制御信号に対応する機能を変更する機能シフト手段とを具備することを特徴とするリモコン制御システム。
【発明の詳細な説明】
【技術分野】
【０００１】
この発明は、リモコン装置およびリモコン制御システムに関し、特に多数の機能や動作を制御可能なリモコン装置およびリモコン制御システムに関する。
【背景技術】
【０００２】
近年における映像機器等の高機能化に対応してリモコンの操作ボタンも複雑化し、操作ボタンの数も増加する傾向にある。これに対して、開閉式やスライド式の操作パネルを取り付けることにより、多くの操作ボタンをリモコンに配置することが行われている。また、リモコンに角度センサを備えさせ、角度センサが検知したリモコンの傾斜角に応じて各操作ボタンに割り当てる機能を変更するものが提案されている（例えば、特許文献１、参照。）。
【０００３】
かかる構成によれば、操作ボタンの数を増やすことなくリモコンにて操作できる機能を増やすことができ、リモコンの簡易化や小型化を実現することが可能であった。
【特許文献１】特開平４−２４２３９８号公報
【発明の開示】
【発明が解決しようとする課題】
【０００４】
しかしながら、上述した技術においては、操作ボタンを操作する際にリモコンの角度が変わってしまうことがあり、使用者が意図した操作を安定して行うことができないという課題があった。また、角度によって変更するモード数を増加させようとすると、細かい角度ごとにモードを割り当てることとなり、使用者が微妙な角度調整をしなければならないという課題があった。
本発明は、上記課題にかんがみてなされたもので、多くの操作を確実に実行させることができるリモコン装置およびリモコン制御システムを提供することを目的とする。
【課題を解決するための手段】
【０００５】
上記目的を達成するため請求項２にかかる発明は、筐体と、上記筐体に備えられた操作ボタンと、上記操作ボタンの操作に対応したリモコン制御信号を生成する信号生成手段と、生成したリモコン制御信号を制御対象の被制御機器に対して送信する送信手段とを具備するリモコン装置において、振動検知センサと、上記振動検知センサにおける振動検知に応じて、上記信号生成手段が上記操作ボタンの操作に対応して生成する上記リモコン制御信号を変更する信号シフト手段とを具備する構成としてある。
【０００６】
上記のように構成した請求項２の発明において、筐体に複数備えられた操作ボタンを操作することにより、各操作ボタンの操作に対応した複数のリモコン制御信号を生成し、送信手段が被制御機器に対して当該リモコン制御信号を送信する。信号検出センサが備えられ、信号シフト手段が同振動検知センサにおける振動検知に応じて上記信号生成手段が上記操作ボタンの操作に対応して生成する上記リモコン制御信号を変更する。すなわち、上記振動検知センサにおける振動検知状況に応じて、各操作ボタンの操作によって生成される上記リモコン制御信号を変更することができる。従って、上記被制御機器においては、上記振動検知センサにおける振動検知状況に応じて異なる動作等を実行させることができる。単一の上記操作ボタンに対して複数の上記リモコン制御信号を対応させることができるため、上記操作ボタンを配置する上記筐体の小型化等を容易に実現することができる。
【０００７】
また、請求項３にかかる発明は、上記信号シフト手段によって上記信号生成手段が上記操作ボタンの操作に対応して生成する上記リモコン制御信号が変更されたか否かを示す表示手段を具備する構成としてある。
【０００８】
上記のように構成した請求項３の発明において、上記信号生成手段が上記操作ボタンの操作に対応して生成する上記リモコン制御信号が変更されたか否かを、表示手段が示すため、上記操作ボタンに対応する上記リモコン制御信号を使用者が容易に把握することができる。従って、誤操作を防止することができる。
【０００９】
さらに、請求項４にかかる発明は、上記表示手段は、上記信号シフト手段によって上記信号生成手段が上記操作ボタンの操作に対応して生成する上記リモコン制御信号が変更されたか否かによって上記操作ボタンの色を変更する構成としてある。
【００１０】
上記のように構成した請求項４の発明において、上記操作ボタンの色が、上記リモコン制御信号が変更されたか否かによって変更されるため、上記操作ボタンに対応する機能の切替を使用者がより明確に把握することができる。
【００１１】
さらに、請求項５にかかる発明は、上記信号シフト手段は、上記振動検知センサにおける複数回の振動検知とそれらの検出タイミングとから特定される振動リズムに応じて、上記信号生成手段が上記操作ボタンの操作に対応して生成する上記リモコン制御信号を変更する構成としてある。
【００１２】
上記のように構成した請求項５の発明において、上記振動検知センサにおける複数回の振動検知とそれらの検出タイミングとから特定される振動リズムを検知し、この振動リズムに応じて、上記リモコン制御信号を変更する。振動リズムによれば、振動検知の回数と検出タイミングの無数の組合せにごとに上記操作ボタンに対応する上記リモコン制御信号を変更することができ、より多くの種類の上記リモコン制御信号を単一の上記操作ボタンの操作によって生成させることができる。
【００１３】
また、請求項６にかかる発明は、所定の登録操作に基づき上記振動検知センサによって検出した上記振動リズムを記憶するとともに、記憶された上記振動リズムと新たに上記振動検知センサが検出した上記振動リズムとが類似する場合に上記信号生成手段が上記操作ボタンの操作に対応して生成する上記リモコン制御信号を変更する構成としてある。
【００１４】
上記のように構成した請求項６の発明において、予め所定の登録操作に基づき上記振動検知センサによって検出した上記振動リズムを記憶しておく。そして、登録操作によって記憶された上記振動リズムと、新たに上記振動検知センサが検出した上記振動リズムとが類似する場合に上記信号生成手段が上記操作ボタンの操作に対応して生成する上記リモコン制御信号を変更する。すなわち、使用者が好みの上記振動リズムを与えることにより、上記操作ボタンの操作に対応して生成する上記リモコン制御信号を変更させることができ、使用者の使い勝手を向上させることができる。
【００１５】
さらに、請求項７にかかる発明は、上記振動検知センサにおける振動検知に対応した上記リモコン制御信号を生成する第２の信号生成手段を具備する構成としてある。
上記のように構成した請求項７の発明において、上記振動検知センサにおける振動検知に応じても第２の信号生成手段が上記リモコン制御信号を生成する。これにより、振動を与えることによっても上記リモコン制御信号を生成することが可能となり、振動に応じた上記被制御機器の操作も実現できる。
【００１６】
また、請求項８にかかる発明は、上記第２の信号生成手段は、上記被制御機器にて実行されるゲームの操作をするための上記リモコン制御信号を生成する構成としてある。
上記のように構成した請求項８の発明において、振動に応じて生成した上記リモコン制御信号によって上記被制御機器にて実行されるゲームの操作をすることができるため、ゲームの振動コントローラとして上記リモコン装置を利用することができる。
【００１７】
さらに、請求項９にかかる発明は、上記第２の信号生成手段は、上記被制御機器に音を出力させるための上記リモコン制御信号を生成する構成としてある。
上記のように構成した請求項９の発明において、振動に応じて上記被制御機器に音を出力させるための上記リモコン制御信号を生成することによって、上記リモコン装置を打楽器として使用することができる。
【００１８】
さらに、以上の構成をさらに具体化したリモコン装置としても本発明を実現することができ、その具体例として請求項１にかかる発明は、筐体と、上記筐体に備えられた操作ボタンと、上記操作ボタンの操作に対応したリモコン制御信号を生成する信号生成手段と、生成したリモコン制御信号を制御対象の被制御機器に対して送信する送信手段とを具備するリモコン装置において、筐体内部に備えられた振動検知センサと、所定の登録操作に基づき上記振動検知センサにおける複数回の振動検知とそれらの検出タイミングとから特定される振動リズムを記憶するとともに、記憶された上記振動リズムと新たに上記振動検知センサが検出した上記振動リズムとが類似する場合に上記信号生成手段が上記操作ボタンの操作に対応して生成する上記リモコン制御信号を変更する信号シフト手段と、上記信号シフト手段によって上記信号生成手段が上記操作ボタンの操作に対応して生成する上記リモコン制御信号が変更されたか否かによって上記操作ボタンの色を変更する表示手段と、上記振動検知センサにおける振動検知に対応した上記リモコン制御信号を生成する第２の信号生成手段とを具備する構成としてある。
かかる構成においても請求項２から請求項９の各発明の効果が実現できることはいうまでもない。
【００１９】
さらに、上述した上記リモコン装置の機能の一部を被制御機器にて行うようにしてもよく、その具体例として請求項１０にかかる発明は、制御対象の被制御機器と、当該被制御機器に対して複数のリモコン制御信号を送信するリモコン装置とからなるリモコン制御システムにおいて、上記リモコンは、筐体と、上記筐体に備えられた操作ボタンと、上記操作ボタンの操作に対応したリモコン制御信号を生成する信号生成手段と、筐体内部に備えられた振動検知センサと、上記振動検知センサにおける振動検知に応じてシフトを指示するためのリモコン制御信号を生成するシフト信号生成手段と、上記被制御機器は、上記リモコン制御信号を受信し、当該リモコン制御信号に対応する機能を実行する機能実行手段と、上記シフトを指示するためのリモコン制御信号を受信したとき、各リモコン制御信号に対応する機能を変更する機能シフト手段とを具備する構成としてある。
【００２０】
すなわち、振動検知の有無を、シフトを指示するためのリモコン制御信号によって上記被制御機器が判断をし、それに応じて上記操作ボタンの操作に基づき各リモコン制御信号に応じて自身が実行する機能を変更する。このように、上記リモコン制御信号に応じていずれかの機能を行う上記被制御機器側にて、上記リモコン制御信号に対応する機能を変更するようにしてもよい。この場合、上記リモコン装置を簡易化することができ、上記リモコン装置の小型化等を容易に実現することができる。
【発明の効果】
【００２１】
請求項１、請求項２および請求項１０の発明によれば、リモコン装置によって誤操作することなく多くの操作を行わせることができる。
請求項３の発明によれば、操作ボタンにて操作可能な機能を容易に知ることができる。
請求項４の発明によれば、操作ボタンの機能を色で把握することができる。
請求項５の発明によれば、多くの振動リズムによって操作ボタンの機能を使い分けることができる。
【００２２】
請求項６の発明によれば、使いやすい振動リズムによって操作ボタンの機能を切り換えることができる。
請求項７の発明によれば、振動そのものによって被制御機器の操作をすることができる。
請求項８の発明によれば、振動によってゲームを操作することができる。
請求項９の発明によれば、リモコン装置を打楽器のように使用することができる。
【発明を実施するための最良の形態】
【００２３】
ここでは、下記の順序に従って本発明の実施形態について説明する。
（１）第１の実施形態：
（１−１）リモコン制御システムの構成：
（１−２）登録処理：
（１−３）切替処理：
（１−４）通常処理：
（１−５）ゲーム処理：
（２）第２の実施形態：
（３）まとめ：
【００２４】
（１）第１の実施形態
（１−１）リモコン制御システムの構成
図１は、本発明の第１の実施形態にかかるリモコン装置１０の外観を概略的に示している。図２は、リモコン制御システム１のハードウェア構成をブロック図によって示している。図１において、リモコン装置１０は所定の厚みを有する略矩形状の筐体１１を有しており、この筐体１１の上面において複数の操作ボタン１２，１２，１２・・・が配置されている。操作ボタン１２，１２，１２・・・は筐体１１の上面に対して浮沈可能に取り付けられており、筐体１１内部における各操作ボタン１２，１２，１２・・・に対応する位置には対応するタクトスイッチ１９，１９，１９・・・がそれぞれ備えられている。各操作ボタン１２，１２，１２・・・を押下することにより対応するタクトスイッチ１９，１９，１９・・・を導通させることができる。
【００２５】
リモコン装置１０の内部にはタクトスイッチ１９，１９，１９・・・の他に、マイコン１３とＲＯＭ１４と赤外線発信器１５と振動センサ１６とＬＥＤユニット１８とから構成されている。振動センサ１６は、一定以上の加速度が加えられた場合に限り内蔵されたスイッチが一時的に導通する機構や、衝撃による機械的歪みを電気信号変換する圧電素子等を有しており、一定以上の加速度に対応する衝撃がリモコン装置１０に加えられたことを検知することができる。タクトスイッチ１９，１９，１９・・・および振動センサ１６の出力端子はマイコン１３に入力されている。
【００２６】
マイコン１３は演算処理装置（ＣＰＵ）を有しており、この演算処理装置にて必要な演算処理を実行する。そのときに必要となるデータはＲＯＭ１４から読み出して使用するとともに、演算処理のワークエリアとしてＲＡＭを利用する。本実施形態においては、タクトスイッチ１９，１９，１９・・・から入力された導通信号に応じてリモコン制御信号を生成し、当該リモコン制御信号を赤外線発信器１５に対して出力する処理を行う。具体的には、マイコン１３は、ＲＯＭ１４に格納された信号対応テーブルＴ１を取得するとともに、当該信号対応テーブルＴ１を参照して各タクトスイッチ１９，１９，１９・・・の導通に対応したリモコン制御信号を生成する。赤外線発信器１５は赤外線を発光可能なＬＥＤから構成され、リモコン制御信号として入力されたパルス波に応じたパルス発光を行う。マイコン１３は、信号対応テーブルＴ１を参照して各タクトスイッチ１９，１９，１９・・・固有のパルス波（リモコン制御信号）を生成するため、赤外線発信器１５から発信される赤外線信号は、各操作ボタン１２，１２，１２・・・固有のものとなる。
【００２７】
図３は、信号対応テーブルＴ１に記述された内容を示している。同図において、各タクトスイッチ１９，１９，１９・・・の導通に対応して赤外線発信器１５に出力すべき信号が定義されている。また、通常モードとシフトモードが設けられており、それぞれ状態について各タクトスイッチ１９，１９，１９・・・の導通に対応して赤外線発信器１５に出力すべき信号が定義されている。例えば、信号対応テーブルＴ１の最上段に定義されたタクトスイッチ１９ａが導通している場合であって、通常モードであるときにはリモコン制御信号Ａが生成されるように定義され、一方シフトモードであるときにはリモコン制御信号αが生成されるように定義されている。すなわち、同一の操作ボタン１２を押し下げた場合でも、現在が通常モードかシフトモードのいずれかであるかによって生成されるリモコン制御信号が変更される。
【００２８】
これにより、同一の操作ボタン１２によってリモコン装置１０によって制御される被制御機器において異なる動作をさせることが可能となる。例えば、リモコン制御信号Ａによって被制御機器が電源ＯＮ／ＯＦＦし、リモコン制御信号αによって被制御機器にて特定のメニュー表示を行うようにした場合には、これらの操作が同一の操作ボタン１２によって操作できることとなる。なお、通常モードとシフトモードのいずれにおいても振動センサ１６における振動検知に応じてリモコン制御信号が生成されることはないが、ゲームモードにおいては振動センサ１６における振動検知に応じてリモコン制御信号ωが生成されることが示されている。また、ゲームモードにおいてはゲーム終了ボタンに対応したタクトスイッチ１９以外の導通によってはリモコン制御信号が生成されることはない。
【００２９】
マイコン１３は、振動センサ１６にて振動検知があったとき上述した通常モードとシフトモードとを切り替える処理を行う。マイコン１３はタイマを有しており、振動センサ１６における振動検知のタイミングを取得する。所定の期間内に検知された複数の振動検知のタイミングを振動リズムとして認識し、予めＲＯＭ１４のリズムテーブルＴ２に登録された振動リズムと比較する。そして、認識した振動リズムと登録された振動リズムとが一致する場合に、通常モードとシフトモードの相互の切り替えを行う。ＬＥＤユニット１８は、複数色のＬＥＤを有しており、マイコン１３がモードの切り替えが行う際に出力される表示切替信号を受け付け、点灯されるＬＥＤの色を変更する。すなわち、通常モードとシフトモードのそれぞれにおいてＬＥＤユニット１８が発光するＬＥＤの色が異なることとなる。ＬＥＤユニット１８は筐体１１内部に備えられており、ＬＥＤの光が筐体１１内に閉じ込められることとなるが、操作ボタン１２，１２，１２・・・を半透明に形成することにより、あたかも操作ボタン１２，１２，１２・・・の色が変わったかのように使用者にモードの切り替えを表示することができる。
【００３０】
また、マイコン１３は、所定の登録ボタンに対応した操作ボタン１２の操作を検知すると、上述したＲＯＭ１４のリズムテーブルＴ２の登録処理を実行する。この登録処理においては登録ボタンの押下が検知されてから所定の期間の振動センサ１６の振動検知を受け付けるとともに、複数回の振動検知のタイミングを振動リズムとして認識し、その振動リズムをリズムテーブルＴ２に登録する。リズムテーブルＴ２に新たな振動リズムが登録されれば上述した通常モードとシフトモードの切り替えにおいては、新たな振動リズムが比較対象とされる。本実施形態においてＲＯＭ１４は不揮発性かつ書換可能なＲＯＭであり、例えばＥＥＰＲＯＭやフラッシュＲＯＭを適用することができる。
【００３１】
図２に示した本発明の被制御機器としてのテレビジョン２０においては、赤外線受信器２１とマイコン２２と音声回路２３とスピーカ２４と映像回路２５とディスプレイ２６が備えられている。赤外線受信器２１はリモコン装置１０から送信された赤外線信号を受信し、もとのリモコン制御信号に復調する。復調されたリモコン制御信号はマイコン２２に送出され、同マイコン２２がリモコン制御信号に基づいてテレビジョンとしての各機能を実行する。映像回路２５は図示しないチューナから入力された中間波信号に基づいて映像を再生する回路であり、ディスプレイ２６にて映像を表示させる。音声回路２３はチューナから入力された中間波信号に基づいて音声を再生する回路であり、スピーカ２４にて音声を出力させる。映像回路２５と音声回路２３はマイコン２２からの信号に基づいてもそれぞれ映像と音声を再生することが可能となっており、マイコン２２が後述するゲームを実行する場合にはゲーム画面やゲーム音声の再生を行う。
【００３２】
（１−２）登録処理
図４は、マイコン１３が行う登録処理の流れを示している。ステップＳ１００においては、マイコン１３が登録ボタンの操作を受け付けるまで待機する。登録ボタンは操作ボタン１２，１２，１２・・・のうちのいずれかであり、該当する操作ボタン１２が押下されて対応するタクトスイッチ１９が導通したことを、マイコン１３が検知する。一方、登録ボタンが押下されない場合には、リモコン装置１０はそのまま待機し、（１−４）節で述べる通常の処理等を行うこととなる。ステップＳ１００にて登録ボタンの操作が検知されるとステップＳ１１０においてマイコン１３はタイマの計時を開始するとともに、振動リズムの入力を受け付ける。ステップＳ１２０においては、タイマの計時によって所定期間経過したかどうかが判断され、経過した場合には、ステップＳ１３０にてＲＯＭ１４におけるリズムテーブルＴ２の書換を行う。
【００３３】
図５は、振動リズムを模式的に示している。同図において、複数回の振動を振動センサ１６が検知する様子を示している。複数回の振動はそれぞれ異なる時刻に検知されており、これらの時刻と信号検知の回数によって使用者がリモコン装置１０に与えた振動リズムを特定することができる。従って、各振動検知についての登録開始からの時刻を順次リズムテーブルＴ２に記憶しておくことにより、振動リズムを登録することができる。あまり長い期間の振動リズムを使用者が正確に再現することは困難であるため、振動リズムの登録を受け付ける期間を例えば３〜５秒間としておく。以上のようにすることにより、使用者が入力しやすい振動リズムをリズムテーブルＴ２に記憶しておくことができる。
【００３４】
（１−３）切替処理：
図６は、切替処理の流れを示している。ステップＳ２００においては、マイコン１３が振動センサ１６から振動検知を受け付け可能な状態で待機する。ステップＳ２００にて振動検知があったことを認識すると、同時にステップＳ２１０にてタイマの計時を開始するとともに、引き続き振動センサ１６における振動検知を受け付ける。ここでは、上述した登録を受け付ける期間（３〜５秒）と同じ期間継続して振動検知を受け付け、各振動検知があった時刻をＲＡＭに記憶する。そして、ステップＳ２２０において、予めリズムテーブルＴ２に登録されている振動リズムとステップＳ２１０にて認識した振動リズムとの比較を行い、両者が類似している場合にはステップＳ２３０にてモードの切り替えを行う。
【００３５】
すなわち、現在通常モードであればシフトモードに切り替え、現在シフトモードであれば通常モードに切り替える。具体的に、後述する通常処理において使用するシフトフラグをＯＮすることによりシフトモードに変更し、同シフトフラグをＯＦＦすることにより通常モードに変更する。振動リズムの類似性の判断手法としては種々の手法を採用することができ、例えば各信号検知の回数が同じであることを前提とし、各信号検知の時刻のずれが所定の許容範囲内となっているか否かで判断するようにしてもよい。使用者が人為的に振動リズムを与えるため、ある程度許容範囲を設けておくことにより使い勝手が向上する。また、各回の振動検知のインターバルの比の類似性を基準として判断しても良い。
【００３６】
ステップＳ２３０にてモードの切り替えを行うと、ステップＳ２４０においてマイコン１３はＬＥＤユニット１８に対して表示切替信号を出力し、ＬＥＤユニット１８が点灯させているＬＥＤの点灯色を変更させる。これにより、モードの切り替えに伴って、各操作ボタン１２，１２，１２・・・の色を変更させることができる。ステップＳ２４０にてＬＥＤ表示の変更が完了するとステップＳ２００に戻り、再度の振動検知があるまで待機する。一方、ステップＳ２２０にて振動リズムに類似性がないと判断された場合、そのままステップＳ２００に戻り、再度の振動検知があるまで待機する。
【００３７】
（１−４）通常処理
図７は、マイコン１３が行う通常処理の流れを示している。ステップＳ３００においては、マイコン１３が操作ボタン１２の押下の検知があるのを待機する。すなわち、各操作ボタン１２，１２，１２・・・の押下によって対応するタクトスイッチ１９，１９，１９・・・が導通するのを待機する。いずれかの操作ボタン１２，１２，１２・・・の押下が検知されると、ステップＳ３１０にてシフトフラグのＯＮ／ＯＦＦを判別する。すなわち、上述した切替処理によって現在シフトフラグがＯＮされているかＯＦＦされているのかを判断する。ＯＦＦされている場合にはステップＳ３２０にて図３に示す信号対応テーブルＴ１を参照し、入力された信号に対応する操作ボタン１２，１２，１２・・・のタクトスイッチ１９，１９，１９・・・に通常モードにおいて対応付けられているリモコン制御信号を生成する。
【００３８】
一方、ＯＮされている場合にはステップＳ３３０にて信号対応テーブルＴ１を参照し、入力された信号に対応する操作ボタン１２，１２，１２・・・のタクトスイッチ１９，１９，１９・・・にシフトモードにおいて対応付けられているリモコン制御信号を生成する。ステップＳ３３０にて生成されたリモコン制御信号は赤外線発信器１５に入力され、当該赤外線発信器１５にて赤外線信号として発振される。この赤外線信号は各モードにおける各操作ボタン１２，１２，１２・・・に対して固有であるため、当該赤外線信号を赤外線受信器２１にて受信したテレビジョン２０は対応した動作や機能を実行することができる。
【００３９】
（１−５）ゲーム処理
以上においては振動センサ１６における振動検知がモード切替の条件とされることを説明したが、振動センサ１６における振動検知を、赤外線信号を介してテレビジョン２０に伝達することも可能である。その一例として、リモコン装置１０を用いてゲームを行う処理を図８に示している。ステップＳ４００においては、ゲーム開始ボタンが押下されるのを待機する。ゲーム開始ボタンは、通常モードにおいて操作ボタン１２，１２，１２・・・の一つに割り当てられており、対応するタクトスイッチ１９の導通がマイコン１３によって検知される。ゲーム開始ボタンが押下されない場合は、そのまま待機となり、上述した通常処理が実行される。ゲーム開始ボタンが押下された場合には、ステップＳ４１０にてテレビジョン２０に対してゲーム開始ボタンが押下された旨のリモコン制御信号を送信する。ステップＳ４２０においては、リモコン装置１０をゲームモードに切り替える。
【００４０】
図３の信号対応テーブルＴ１に示すように、ゲームモードにおいてはゲーム終了ボタン以外の各タクトスイッチ１９，１９，１９・・・の導通に応じてリモコン制御信号が生成されることが制限され、結果的にゲーム終了ボタンを以外の操作ボタン１２，１２，１２・・・の操作が無効化される。一方、振動センサ１６における振動検知に応じてマイコン１３がリモコン制御信号ωを生成し、当該リモコン制御信号ωを搬送した赤外線信号がテレビジョン２０に伝達される（ステップＳ４３０）。すなわち、ゲームモードではリモコン装置１０は振動検知の状況のみをテレビジョン２０に伝達可能となる。この意味で、ゲーム処理におけるマイコン１３は、本発明の第２の信号生成手段に相当する。ゲームモードは操作ボタン１２，１２，１２・・・の一つに割り当てられたゲーム終了ボタンによって終了させられ、ゲーム終了ボタンの押下を検知するとステップＳ４４０にてゲーム終了に対応したリモコン制御信号χをテレビジョン２０に送信する。
【００４１】
図９は、ゲームモードにおけるテレビジョン２０の動作を示している。テレビジョン２０のマイコン２２は、ステップＳ５００にて赤外線受信器２１を介して復調されたゲーム開始ボタンに対応したリモコン制御信号の入力を受け付ける。当該リモコン制御信号を受け付けるとステップＳ５１０にて映像回路２５に所定の信号を送出し、ディスプレイ２６にて打楽器を表示させる。ステップＳ５２０においては赤外線受信器２１を介してリモコン装置１０における振動検知に対応するリモコン制御信号ωの入力を受け付け、当該リモコン制御信号ωの入力があった場合にはステップＳ５３０にて打楽器の音をスピーカ２４が出力する信号を音声回路２３に出力する。また、ステップＳ５４０にてリモコン制御信号χの入力が受け付けられると、ゲーム処理を終了させ、テレビジョンの視聴画面・音声に復帰する。なお、単にリモコン制御信号ωの入力に応じて音を発するだけでなく、リモコン制御信号ωの入力タイミングがスピーカ２４にて出力する音楽のリズムに合っているか否かを競うゲームを行うようにしてもよい。
【００４２】
以上のように切替処理によってシフトフラグがＯＮ／ＯＦＦされることにより、同一の操作ボタン１２，１２，１２・・・の操作によって出力されるリモコン制御信号を変更することができ、操作ボタン１２，１２，１２・・・の形成個数を多くしなくても多機能のリモコン装置１０を提供することができる。また、リモコン装置１０に与える振動によって各操作ボタン１２，１２，１２・・・に対応する機能が変更できるため、使用者の操作も非常に簡単である。さらに、振動リズムで切替の可否を判定するため、偶然振動を与えてしまった場合に、意図せずモードが切り替わってしまうようなこともない。特に、使用者が所望する振動リズムが登録できるため、使用者の好みの振動リズムで操作することができ、意図通りにモードを切り替えることができる。モードが切り替わったか否かは、操作ボタン１２，１２，１２・・・の点灯色で判別することができるため、使用者が現在のモードを間違えることはない。さらに、振動によってゲームの操作を行うことができ、ゲームの操作性を良いものとすることができる。
【００４３】
なお、本実施形態においては単一の振動センサ１６によって振動リズムを検知するものとした、多軸の加速度センサによって複数の方向からの振動を検知するようにしてもよい。また、必ずしも振動リズムを登録できるようにする必要はなく、予め操作しやすい振動リズムを製造者が設定するようにしてもよい。さらに、リズムテーブルＴ２に登録できる振動リズムは単一に限られず、複数の振動リズムを登録するようにしてもよい。例えば、操作ボタン１２，１２，１２・・・に対応する機能が変更されるモードが多数あるような場合には、それぞれのモードに対応した振動リズムが登録されるのが望ましい。振動リズムによれば、振動検知の回数と、それぞれの振動検知のタイミングとの組合せによってほぼ無限数のパターンを設定することができるため、切り替えられるモードの数を多くすることも可能である。
【００４４】
（２）第２の実施形態
図１０は、本発明の第２の実施形態にかかるリモコン制御システムの構成を示している。同図において、リモコン制御システム２はリモコン装置１００と被制御機器としてのテレビジョン１２０とからなり、リモコン装置１００が前実施形態と同様の操作ボタン１１２，１１２，１１２・・・とマイコン１１３とＲＯＭ１１４と赤外線発信器１１５と振動センサ１１６とタクトスイッチ１１９，１１９，１１９・・・を備えている。一方、テレビジョン１２０には赤外線受信器１２１とマイコン１２２と音声回路１２３とスピーカ１２４と映像回路１２５とディスプレイ１２６とＲＯＭ１２７とが備えられている。
【００４５】
図１１は、本実施形態のリモコン装置１００のＲＯＭ１１４に格納された信号対応テーブルＴ３を示している。同図に示すように本実施形態においては、信号対応テーブルＴ３において複数のモードが定義されておらず各操作ボタン１１２，１１２，１１２・・・（タクトスイッチ１１９，１１９，１１９・・・）に対して一意にリモコン制御信号が対応している。また、振動センサ１１６の振動検知に応じても所定のリモコン制御信号が対応している。従って、リモコン装置１００のいずれかの操作ボタン１１２，１１２，１１２・・・が操作された場合も、リモコン装置１００に振動が加えられた場合でも、それぞれに対して固有の赤外線信号がテレビジョン１２０のマイコン１２２に入力されることとなる。
【００４６】
振動センサ１１６の振動検知に応じたリモコン制御信号（Ｗ）が入力されたとき、マイコン１２２はシフトフラグのＯＮ／ＯＦＦを切り替える。一方、操作ボタン１１２，１１２，１１２・・・に対応するリモコン制御信号が入力されたとき、マイコン１２２はＲＯＭ１２７に記憶された機能対応テーブルＴ４を参照して、当該リモコン制御信号に対応する動作をテレビジョン２０に実行させる。図１２は、機能対応テーブルＴ４に記述された内容を示している。同図において、通常モードとシフトモードのそれぞれについて、リモコン制御信号に対応してテレビジョン２０に実行させるべき機能・動作が定義されている。
【００４７】
操作ボタン１１２，１１２，１１２・・・に対応するリモコン制御信号が入力されたとき、マイコン１２２は、まず現在のシフトフラグのＯＮ／ＯＦＦを判断し、シフトフラグがＯＮであればシフトモードにおいて入力した当該リモコン制御信号に対応した機能・動作を実行し、シフトフラグがＯＦＦであれば通常モードにおいて入力した当該リモコン制御信号に対応した機能・動作を実行する。すなわち、本実施形態においてはモードに拘わらずリモコン制御信号が単一であるものの、テレビジョン１２０側でモードの切替を行い、各モードに応じた機能・動作を解釈するようにしている。このような場合でも、リモコン装置１００に与える振動によってリモコン装置１００が操作する機能・動作を切り替えることができる。この場合、リモコン装置１００側のマイコン１１３での処理が簡単なものとなるため、安価なマイコンをリモコン装置１００に使用することができる。また、振動センサ１１６から生じるパルスをそのままリモコン制御信号として送信してもよい。その場合には、リモコン装置１００側にマイコン１１３を備える必要がなく、安価にリモコン装置１００を製造することができる。
【００４８】
（３）まとめ
同一の操作ボタン１２，１２，１２・・・の操作によって出力されるリモコン制御信号をリモコン装置１０に与える振動によって変更する。従って、操作ボタン１２，１２，１２・・・の形成個数を多くしなくても多機能のリモコン装置１０を提供することができる。また、振動検知の回数と各タイミングで特定できる振動リズムで切替の可否を判定する。従って、偶然振動を与えてしまった場合に、意図せずモードが切り替わってしまうようなこともない。
【図面の簡単な説明】
【００４９】
【図１】第１の実施形態にかかるリモコン装置の外観斜視図である。
【図２】第１の実施形態にかかるリモコン制御システムのハードウェア構成図である。
【図３】信号対応テーブルの記述内容を示す図である。
【図４】登録処理のフローチャートである。
【図５】振動リズムを説明する図である。
【図６】切替処理のフローチャートである。
【図７】通常処理のフローチャートである。
【図８】ゲーム処理（リモコン装置側）のフローチャートである。
【図９】ゲーム処理（テレビジョン側）のフローチャートである。
【図１０】第２の実施形態にかかるリモコン制御システムのハードウェア構成図である。
【図１１】第２の実施形態にかかる信号対応テーブルの記述内容を示す図である。
【図１２】第２の実施形態にかかる機能対応テーブルの記述内容を示す図である。
【符号の説明】
【００５０】
１，２…リモコン制御システム
１０，１１０…リモコン装置
１１…筐体
１２，１１２…操作ボタン
１３，１１３…マイコン
１４，１１４…ＲＯＭ
１５，１１５…赤外線発信器
１６，１１６…振動センサ
１８…ＬＥＤユニット
１９，１１９…タクトスイッチ
１９ａ…タクトスイッチ
２０，１２０…テレビジョン
２１，１２１…赤外線受信器
２２，１２２…マイコン
２３，１２３…音声回路
２４，１２４…スピーカ
２５，１２５…映像回路
２６，１２６…ディスプレイ
１２７…ＲＯＭ
Ｔ１，Ｔ３…信号対応テーブル
Ｔ２…リズムテーブル
Ｔ４…機能対応テーブル
【図１】
2008066775.tif 000003
【図２】
2008066775.tif 000004
【図３】
2008066775.tif 000005
【図４】
2008066775.tif 000006
【図５】
2008066775.tif 000007
【図６】
2008066775.tif 000008
【図７】
2008066775.tif 000009
【図８】
2008066775.tif 000010
【図９】
2008066775.tif 000011
【図１０】
2008066775.tif 000012
【図１１】
2008066775.tif 000013
【図１２】
2008066775.tif 000014